(57)【要約】【課題】簡単な構成により細長い又は面積の大きなキー釦をフィーリングよく円滑に上下動するキー釦の進退装置を提供すること。【解決手段】電子機器に取り付けられたキー釦であって、細長い又は面積の大きなキー釦について、このキー釦と一体にキー釦の長手方向に伸びた少なくとも２枚の板ばね部を１８０度の間隔で設け、これらの板ばね部の両端を機器本体に支持し、このキー釦釦の上下動によりキーステムを介してスイッチをオン・オフする。板ばね部の長さは、少なくともキー釦の長手方向の長さと略同程度とし、また、キー釦を押したときのねじれ防止のために板ばね部は、キー釦よりやや幅が広くする。板ばね部の両端を機器本体に支持するには、天板の突起部を、板ばね部の支持孔に溶着するか、別体の脚注で挟持する。【選択図】　図１
2004022435.tif 000002
【特許請求の範囲】
【請求項１】
機器本体１０に進退自在に設けたキー釦１３の押圧部２３を押圧して一体のキーステム２２により機器本体１０内のスイッチ本体１９をオン・オフするようにしたキー釦の進退装置において、前記押圧部２３の長手方向に一体にそれぞれ板ばね部２１を延ばして形成し、これらの板ばね部２１は、幅が押圧部２３の幅よりやや広く、かつ、長さが少なくとも押圧部２３と同程度とし、この板ばね部２１の両端部を機器本体１０にて保持してなることを特徴とするキー釦の進退装置。
【請求項２】
機器本体１０に進退自在に設けたキー釦１３の押圧部２３を押圧して一体のキーステム２２により機器本体１０内のスイッチ本体１９をオン・オフするようにしたキー釦の進退装置において、前記押圧部２３は、幅と長さの比が５〜１０程度の細長であり、この押圧部２３の長手方向の両側に一体にそれぞれ板ばね部２１を延ばして形成し、これらの板ばね部２１は、幅が押圧部２３の幅よりやや広く、かつ、長さが少なくとも押圧部２３と同程度とし、この板ばね部２１の両端部の支持孔２４に機器本体１０の取付け突起部２７を差し込み溶着保持してなることを特徴とするキー釦の進退装置。
【請求項３】
機器本体１０の天板１５に進退自在に設けたキー釦１３の押圧部２３を押圧して一体のキーステム２２により機器本体１０内のプリント基板１８に設けたスイッチ本体１９をオン・オフするようにしたキー釦の進退装置において、前記押圧部２３は、幅と長さの比が５〜１０程度の細長であり、この押圧部２３の長手方向の両側に一体にそれぞれ板ばね部２１を延ばして形成し、これらの板ばね部２１は、幅が押圧部２３の幅よりやや広く、かつ、長さが少なくとも押圧部２３と同程度とし、この板ばね部２１の両端部の支持孔２４に機器本体１０の取付け突起部２７を差し込み、この取付け突起部２７の突出部を、前記プリント基板１８に設けた脚柱３０の支持孔３１に嵌合しつつ、脚柱３０の端部と天板１５の下面とで板ばね部２１を挟持してなることを特徴とするキー釦の進退装置。
【請求項４】
板ばね部２１の下面であって、中央から略同距離の中間位置に２箇所の切り込み２６を形成したことを特徴とする請求項１、２又は３記載のキー釦の進退装置。
【発明の詳細な説明】
【０００１】
【発明の属する技術分野】
本発明は、細長い又は面積の大きなキー釦が、どの位置を押してもフィーリングよく上下動してスイッチを確実にオン・オフするようにしたキー釦の進退装置に関するものである。
【０００２】
【従来の技術】
この種の細長い又は面積の大きなキー釦を円滑に上下動するための機構には、従来より種々提案されてきている。例えば、キー釦と一体に細長いリブを設け、このリブの他端部をハウジング側に固定したものがある。
また、特有の部品を使用する例として、キー釦の下面にて、キー釦の長手方向の長さと同程度の長さのコ字形に折曲した針金などの連動棒の両端部を移動自在に係合し、かつ、中央部分を基板側に回動自在に軸架したもので、キー釦の隅押しをしてもキー釦が連動棒と一体に上下することで水平に円滑に上下するように構成されている。
【０００３】
さらに、他の例として、キー釦の下面に、互いに略中央部を回動自在に軸架したクロスリンクを配置し、一方のリンクの一端の固定側を基板に軸架し、他端の移動側をキー釦の下面に当接し、他方のリンクの一端の移動側をキー釦の下面に当接し、他端の固定側を基板に軸架したもので、キー釦の隅押しをしたときクロスリンクを介してキー釦が円滑に上下するように構成されている。
【０００４】
【発明が解決しようとする課題】
以上のような従来の装置のうち、リブを一点で保持するものでは、キー釦の上下する方向を規制することができないため、キー釦の下部のスイッチのオン・オフが不正確になる。
特有の部品を使用するものでは、いずれの場合も隅押し時における円滑な上下動のための複雑な部品や組み立て機構を必要とし、コスト高になるという問題があった。
【０００５】
本発明は、簡単な構成により細長い又は面積の大きなキー釦をフィーリングよく円滑に上下動するキー釦の進退装置を提供することを目的とするものである。
【０００６】
【課題を解決するための手段】
本発明は、機器本体１０の天板１５に進退自在に設けたキー釦１３の押圧部２３を押圧して一体のキーステム２２により機器本体１０内のプリント基板１８に設けたスイッチ本体１９をオン・オフするようにしたキー釦の進退装置において、前記押圧部２３は、幅と長さの比が５〜１０程度の細長であり、この押圧部２３の長手方向の両側に一体にそれぞれ板ばね部２１を延ばして形成し、これらの板ばね部２１は、幅が押圧部２３の幅よりやや広く、かつ、長さが少なくとも押圧部２３と同程度とし、この板ばね部２１の両端部の支持孔２４に機器本体１０の取付け突起部２７を差し込み、この取付け突起部２７の突出部を、前記プリント基板１８に設けた脚柱３０の支持孔３１に嵌合しつつ、脚柱３０の端部と天板１５の下面とで板ばね部２１を挟持してなることを特徴とするキー釦の進退装置である。
【０００７】
このような構成とすることにより、キー釦１３の押圧部２３を押すと、左右に十分長い板ばね部２１で支えられているので、押圧部２３はほとんど水平のまま下降し、スイッチ本体１９のスイッチ釦２０を確実にオンする。細長い押圧部２３のいずれか一方端を押した、いわゆる隅押しの場合も押圧部２３はほとんど水平のまま下降し、スイッチ本体１９のスイッチ釦２０を確実にオンする。また、板ばね部２１は、押圧部２３の幅よりやや広く形成してあるので、押圧部２３の幅方向の隅押しをした場合におけるねじれが防止される。なお、板ばね部２１の下面の２個所に切り込み２６を形成することにより、より一層のフィーリングのよさが得られる。
【０００８】
【発明の実施の形態】
本発明は、電子機器に取り付けられたキー釦であって、細長い又は面積の大きなキー釦について、このキー釦と一体にキー釦の長手方向に伸びた少なくとも２枚の板ばね部を１８０度の間隔で設け、これらの板ばね部の両端を機器本体に支持し、このキー釦釦の上下動によりキーステムを介してスイッチをオン・オフするようにしたものである。
前記板ばね部の長さは、少なくともキー釦の長手方向の長さと略同程度とし、また、キー釦を押したときにねじれを防止するために板ばね部は、キー釦よりやや幅が広いことが望ましい。板ばね部の両端を機器本体に支持するには、天板と一体に設けた取り付け突起部を、板ばね部の先端の支持孔に嵌合して溶着するか、プリント基板側から立ち上がらせた脚注の先端で挟持するようにしてもよい。
【０００９】
【実施例】
本発明の一実施例として、図４に示すように、機器本体１０は、ディジタルカメラ用アダプタの場合を示している。この機器本体１０の上面の嵌合凹部１１に、電子機器１４としてのデジタルカメラを嵌合すると、嵌合凹部１１から突出した端子台１２に電子機器１４が接続され、機器本体１０に設けたキー釦１３を押すと、内部のスイッチがオンし、ディスプレイなどに接続されるものとする。
前記機器本体１０は、全体の形状が細長いタイプであるため、この機器本体１０の側部のキー孔１６からキー釦１３の細長い押圧部２３が突出して設けられている。
【００１０】
このキー釦１３の詳細を図１、図２及び図３により説明する。
キー釦１３は、図３に示すように、中央の押圧部２３、左右の板ばね部２１、下面のキーステム２２、側部の位置合わせ舌片２５がプラスチックにより一体成型されたものである。
本実施例における前記押圧部２３は、幅と長さの比が５〜１０倍の細長に形成されており、左右の板ばね部２１は、それぞれ押圧部２３の端部から少なくとも押圧部２３の長さと同程度延びており、また、幅は、押圧部２３の幅よりやや広く形成された薄板状であり、一方側部の中央に位置合わせ舌片２５が形成され、前記板ばね部２１の両端部には、２個ずつ支持孔２４が穿設されている。この支持孔２４は、長手方向にやや長孔とすることが好ましい。さらに、板ばね部２１における押圧部２３の略両端部の下面には、板ばね部２１の長さ方向に直交して切り込み２６が形成され、板ばね部２１の一部が肉薄部となっている。
前記押圧部２３及び板ばね部２１の略中央の下面には、後述するスイッチ釦２０を押圧するためのキーステム２２が垂直に形成されている。
【００１１】
前記機器本体１０の側板１７に近い天板１５の部分には、前記キー孔１６が貫通して形成され、前記天板１５の下面におけるキー孔１６の周りには、受け枠２８が一体に形成され、この受け枠２８には、板ばね部２１の両端部と位置合わせ舌片２５が嵌合する係合溝２９が切り欠かれている。
前記天板１５の下面には、前記板ばね部２１の支持孔２４の位置に合わせて取付け突起部２７が一体に形成されている。
【００１２】
このように形成されたキー釦１３を機器本体１０に組み込むには、天板１５のキー孔１６に下方から押圧部２３を嵌め込むとともに、両側の板ばね部２１と中央の位置合わせ舌片２５を受け枠２８の係合溝２９に嵌合し、さらに、支持孔２４に取付け突起部２７を差し込む。差し込まれた左右の取付け突起部２７を溶着して溶着部２７ａとする。左右２個ずつの取付け突起部２７は、板ばね部２１の弾力性が大きいときは２個ずつ溶着し、小さいときは内側だけ又は外側だけのように１個ずつ溶着するなど、板ばね部２１の弾力性の強さに応じて決められる。また、取付け突起部２７の溶着に際しては、板ばね部２１を完全に固定するのではなく、板ばね部２１が支持孔２４内でわずかに摺動できる程度であることが望ましい。
【００１３】
このようにしてキー釦１３を組み立てた後、プリント基板１８に組み込むと、キー釦１３のキーステム２２の下端部が、プリント基板１８に取り付けられたスイッチ本体１９のスイッチ釦２０にわずかな隙間を持って臨ませられる。
【００１４】
この状態で、キー釦１３の押圧部２３を押すと、左右に十分長い板ばね部２１で支えられ、かつ、板ばね部２１の下面の２個所に切り込み２６が形成されているので、押圧部２３はほとんど水平のままフィーリングよく下降し、スイッチ本体１９のスイッチ釦２０を確実にオンする。細長い押圧部２３のいずれか一方端を押した、いわゆる隅押しの場合も押圧部２３はほとんど水平のまま下降し、スイッチ本体１９のスイッチ釦２０を確実にオンする。また、板ばね部２１は、押圧部２３の幅よりやや広く形成してあるので、押圧部２３の幅方向の隅押しをした場合におけるねじれが防止される。
【００１５】
前記図１の実施例では、板ばね部２１の支持孔２４に取付け突起部２７を差し込んだ後、突出部分を溶着して保持するようにした。
しかし、この例に限られるものではなく、図５に示すように、プリント基板１８から支持孔３１の開いた脚柱３０を垂直に立ち上がらせて形成し、この３０の上端部の支持孔３１に取付け突起部２７の突出部分を嵌合しつつ、脚柱３０の上端と天板１５の下面とで挟持するようにしても良い。
【００１６】
前記実施例では、キー釦１３の押圧部２３は、幅と長さの比が５〜１０倍の細長に形成されている場合を説明したが、本発明は、このような場合に限られるものではない。
例えば、図６（ａ）に示すように、押圧部２３が十分長くて幅のある面積の大きい場合には、板ばね部２１の長さは、少なくとも押圧部２３の長さ程度とし、かつ、幅は、押圧部２３の幅よりやや大きくする。そして、支持孔２４は、幅方向に間隔をおいて２個形成する。
また、図６（ｂ）に示すように、押圧部２３が円形の面積の大きい場合には、板ばね部２１は、スイッチ釦２０間隔で３個とする。さらに、押圧部２３が正ｎ角形などの面積の大きい場合には、板ばね部２１は、ｎ／３６０間隔でｎ個とするなどとしてもよい。
【００１７】
【発明の効果】
請求項１記載の発明によれば、押圧部２３の長手方向に一体にそれぞれ板ばね部２１を延ばして形成し、これらの板ばね部２１は、幅が押圧部２３の幅よりやや広く、かつ、長さが少なくとも押圧部２３と同程度とし、この板ばね部２１の両端部を機器本体１０にて保持したので、細長い又は面積の大きなキー釦がフィーリングよく円滑に上下動し、キー釦の上下する方向を正確に規制することができ、キー釦の下部のスイッチのオン・オフが正確になる。また、板ばね部２１を延ばして形成するだけで、特有の部品を使用するものではないので、複雑な部品をひつようとせず、組み立ても簡単で、安価に提供できる。
【００１８】
請求項２記載の発明によれば、押圧部２３は、幅と長さの比が５〜１０程度の細長であり、この押圧部２３の長手方向の両側に一体にそれぞれ板ばね部２１を延ばして形成し、これらの板ばね部２１は、幅が押圧部２３の幅よりやや広く、かつ、長さが少なくとも押圧部２３と同程度としたので、細長いキー釦をフィーリングよく円滑に上下動でき、また、この板ばね部２１の両端部の支持孔２４に機器本体１０の取付け突起部２７を差し込み溶着したので、組み立てが簡単である。特に、幅の狭い個所の細長キー釦に好適である。
【００１９】
請求項３記載の発明によれば、板ばね部２１の両端部の支持孔２４に機器本体１０の取付け突起部２７を差し込み、この取付け突起部２７の突出部を、プリント基板１８に設けた脚柱３０の支持孔３１に嵌合しつつ、脚柱３０の端部と天板１５の下面とで板ばね部２１を挟持したので、キー釦の長期間の上下動の使用によっても板ばね部２１の両端部が確実に保持される。
【００２０】
請求項４記載の発明によれば、板ばね部２１の下面であって、中央から略同距離の中間位置に２箇所の切り込み２６を形成したので、押圧部２３はほとんど水平のままより一層フィーリングよく下降し、スイッチ本体１９のスイッチ釦２０を確実にオンする。
【図面の簡単な説明】
【図１】本発明によるキー釦の進退装置の一実施例を示す断面図である。
【図２】図１におけるＡ−Ａ線断面図である。
【図３】本発明によるキー釦の進退装置に用いられたキー釦１３の一実施例を示す斜視図である。
【図４】細長いキー釦１３の使用例を示す斜視図である。
【図５】本発明によるキー釦の進退装置の他の実施例を示す断面図である。
【図６】（ａ）は、キー釦１３の押圧部２３が長くて幅のある大きな面積の場合の本発明によるキー釦の進退装置の実施例を示す平面図、（ｂ）は、キー釦１３の押圧部２３が丸くて大きな面積の場合の本発明によるキー釦の進退装置の実施例を示す平面図である。
【符号の説明】
１０…機器本体、１１…嵌合凹部、１２…端子台、１３…キー釦、１４…電子機器、１５…天板、１６…キー孔、１７…側板、１８…プリント基板、１９…スイッチ本体、２０…スイッチ釦、２１…板ばね部、２２…キーステム、２３…押圧部、２４…支持孔、２５…位置合わせ舌片、２６…切り込み、２７…取付け突起部、２７ａ…溶着部、２８…受け枠、２９…係合溝、３０…脚柱、３１…支持孔。
【図１】
2004022435.tif 000003
【図２】
2004022435.tif 000004
【図３】
2004022435.tif 000005
【図４】
2004022435.tif 000006
【図５】
2004022435.tif 000007
【図６】
2004022435.tif 000008